(57)【要約】【課題】地震発生後の水の確保を確実に行うことができる水槽システムを提供する。【解決手段】配管Ｐ２を接続され、貯水した水を配管Ｐ２を介して使用先へ供給する水槽３と、水槽３に水を供給するポンプ２と、水槽３から配管Ｐ２に流れる水量を制御する遮断弁４と、水槽３の満水状態を検知する水位センサ３ａと、初期微動を検知することで生成された地震情報を取得する地震情報取得部５と、ポンプ２および遮断弁４の動作を制御する制御部１とを備え、制御部１は、動作モードとして、地震情報取得部５が地震情報を取得していない場合の動作を行う通常制御モードと、地震情報取得部５が地震情報を取得した場合の動作を行う満水制御モードとを備え、満水制御モード時には、遮断弁４を制御して水槽３から配管Ｐ２に流れる水を遮断するとともにポンプ２を動作させて水槽３に水を供給し、水位センサ３ａが満水状態を検知した場合にポンプ２の動作を停止させる。【選択図】図１
2009052295.tif 000002
【特許請求の範囲】
【請求項１】
配管を接続され、貯水した水を当該配管を介して使用先へ供給する水槽と、
水槽に水を供給するポンプと、
水槽から配管に流れる水量を制御する遮断弁と、
水槽の満水状態を検知する満水検知手段と、
初期微動を検知することで生成された地震情報を取得する地震情報取得部と、
ポンプおよび遮断弁の動作を制御する制御部とを備え、
制御部は、動作モードとして、地震情報取得部が地震情報を取得していない場合の動作を行う通常制御モードと、地震情報取得部が地震情報を取得した場合の動作を行う満水制御モードとを備え、満水制御モード時には、遮断弁を制御して水槽から配管に流れる水を遮断するとともにポンプを動作させて水槽に水を供給し、満水検知手段が満水状態を検知した場合にポンプの動作を停止させる
ことを特徴とする水槽システム。
【請求項２】
前記満水検知手段が満水状態を検知した場合に満水警報をネットワークを介して送信する通信部を備え、前記制御部は、満水制御モード時に満水検知手段が満水状態を検知した場合、通信部からの満水警報の送信動作を停止させることを特徴とする請求項１記載の水槽システム。
【請求項３】
周囲の地震の発生を検知する地震センサと、本水槽システムの破損の有無を検査する検査手段とを備え、前記制御部は、満水制御モード時に、地震センサの検知結果に基づいて地震の揺れが収まったと判定し、且つ検査手段の検査結果に基づいて破損が無いと判定すれば、満水制御モードから通常制御モードに移行することを特徴とする請求項２記載の水槽システム。
【請求項４】
前記制御部は、満水制御モードから通常制御モードに移行する際に前記遮断弁を制御して、水槽内の水を配管から放出することを特徴とする請求項３記載の水槽システム。
【請求項５】
前記地震情報取得部が地震情報を取得した時点で水槽を満水にするために必要な残水量を記憶する記憶部を備え、前記制御部は、満水動作モード時に、前記ポンプが供給可能な水の流量とポンプの動作時間とに基づいて残水量を供給したと判断した場合に水槽の満水状態を検知する満水検知手段を構成し、当該満水検知手段が満水状態を検知した場合にポンプの動作を停止させることを特徴とする請求項１乃至４いずれか記載の水槽システム。
【請求項６】
前記水槽が貯水可能な最大貯水量、および前記地震情報取得部が地震情報を取得した時点で水槽に貯水されている第１の水量を記憶する記憶部と、前記ポンプが供給する水の流量を測定する水量センサとを備え、前記制御部は、満水動作モード時に、第１の水量に水量センサの測定結果を加算した第２の水量を最大貯水量と比較し、第２の水量が最大貯水量に達したときに水槽の満水状態を検知する満水検知手段を構成し、当該満水検知手段が満水状態を検知した場合にポンプの動作を停止させることを特徴とする請求項１乃至４いずれか記載の水槽システム。
【発明の詳細な説明】
【技術分野】
【０００１】
本発明は、水槽システムに関するものである。
【背景技術】
【０００２】
従来、マンション等においては、屋上等に設置した水槽に水を一旦溜め、この水槽から各部屋への給水を行う給水設備があり、この給水設備に接続された感震計で地震による揺れを感知すると、災害時に備えて水を確保する目的で水槽に取り付けられた弁（緊急遮断弁）を閉じて、給水を停止するようになっていた。
【０００３】
また、図１４に示すように、ローカル端末１０１と、ポンプ１０２と、遮断弁付きの水槽１０３と、給水経路の状態を検知するセンサ１０４とから構成される水槽システムをマンション内に設置し、ローカル端末１０１が、インターネット等のネットワークＮＴを介してセンタの監視サーバＳＶ１００に接続されているものがあり、ローカル端末１０１がポンプ１０２、水槽１０３の遮断弁の動作を制御して、水槽１０３へポンプ１０２によって水を供給し、水槽１０３に溜められた水が、水槽１０３に設けた遮断弁を介して各部屋への給水が行われる。
【０００４】
そして、地震等の災害が発生し、ローカル端末１０１がセンサ１０４の検知結果に基づいて給水経路に異常が生じたと判断すれば、ローカル端末１０１が遮断弁を閉じて給水を停止する、あるいは、ローカル端末１０１からセンタの監視サーバＳＶ１００へ異常信号を送信して、センタの管理者Ｈ１が遮断弁の遠隔操作を行う（例えば、特許文献１参照）。
【特許文献１】特開２００２−３０７０２号公報
【発明の開示】
【発明が解決しようとする課題】
【０００５】
しかしながら、上記従来の技術では、システムの設置場所に地震が到達し、システムに設けた感震計が実際の揺れを感知してから遮断弁を制御したり、地震発生後に給水経路に障害が発生してから遮断弁を制御することで水槽から水の流出を防止する仕組みになっていた。このため、地震による揺れが実際に発生してから遮断弁を閉じるまでにタイムラグを生じ、その間に水槽から水が流出したり、地震によって建物が破壊されたり、ライフラインや通信が遮断されることで水槽への貯水ができなくなり、地震発生後の水の確保ができないという問題があった。
【０００６】
本発明は、上記事由に鑑みてなされたものであり、その目的は、地震発生後の水の確保を確実に行うことができる水槽システムを提供することにある。
【課題を解決するための手段】
【０００７】
請求項１の発明は、配管を接続され、貯水した水を当該配管を介して使用先へ供給する水槽と、水槽に水を供給するポンプと、水槽から配管に流れる水量を制御する遮断弁と、水槽の満水状態を検知する満水検知手段と、初期微動を検知することで生成された地震情報を取得する地震情報取得部と、ポンプおよび遮断弁の動作を制御する制御部とを備え、制御部は、動作モードとして、地震情報取得部が地震情報を取得していない場合の動作を行う通常制御モードと、地震情報取得部が地震情報を取得した場合の動作を行う満水制御モードとを備え、満水制御モード時には、遮断弁を制御して水槽から配管に流れる水を遮断するとともにポンプを動作させて水槽に水を供給し、満水検知手段が満水状態を検知した場合にポンプの動作を停止させることを特徴とする。
【０００８】
この発明によれば、地震による被害が比較的小さい初期微動を検出したときに、遮断弁によって水槽からの水の流出を防止するとともに、ポンプを動作させて水槽内に貯水することで、揺れの大きい主要動が到達して建物やライフライン等が破壊された場合でも、地震発生後の水の確保を確実に行うことができる。
【０００９】
請求項２の発明は、請求項１において、前記満水検知手段が満水状態を検知した場合に満水警報をネットワークを介して送信する通信部を備え、前記制御部は、満水制御モード時に満水検知手段が満水状態を検知した場合、通信部からの満水警報の送信動作を停止させることを特徴とする。
【００１０】
この発明によれば、地震発生時に、ネットワークの通信トラフィックの増大を抑制でき、さらには満水警報の誤報も防止できる。
【００１１】
請求項３の発明は、請求項２において、周囲の地震の発生を検知する地震センサと、本水槽システムの破損の有無を検査する検査手段とを備え、前記制御部は、満水制御モード時に、地震センサの検知結果に基づいて地震の揺れが収まったと判定し、且つ検査手段の検査結果に基づいて破損が無いと判定すれば、満水制御モードから通常制御モードに移行することを特徴とする。
【００１２】
この発明によれば、地震が収まった後に、自動で、水槽の水を使用不可能な状態が解消でき、給水の再開を迅速に行うことが可能となって、地震後に使用者が水を使えない状態を短縮できる。
【００１３】
請求項４の発明は、請求項３において、前記制御部は、満水制御モードから通常制御モードに移行する際に前記遮断弁を制御して、水槽内の水を配管から放出することを特徴とする。
【００１４】
この発明によれば、通常制御モードに復帰した際に満水警報が発生しやすい状態を回避できる。
【００１５】
請求項５の発明は、請求項１乃至４いずれかにおいて、前記地震情報取得部が地震情報を取得した時点で水槽を満水にするために必要な残水量を記憶する記憶部を備え、前記制御部は、満水動作モード時に、前記ポンプが供給可能な水の流量とポンプの動作時間とに基づいて残水量を供給したと判断した場合に水槽の満水状態を検知する満水検知手段を構成し、当該満水検知手段が満水状態を検知した場合にポンプの動作を停止させることを特徴とする。
【００１６】
この発明によれば、一般に電極棒や水圧等の仕組みを用いて水槽内の水位を検知する満水検知手段では、地震発生時に水槽内の水面が揺れて検出精度が悪化してしまうために、地震情報を受信して定常動作モードから満水動作モードに移行しても、正確に満水まで貯水できない可能性があるが、ポンプが供給可能な水の流量とポンプの動作時間とに基づいて満水を判定することにより、地震によって水槽内の水面が揺れる場合でも、正確に満水まで貯水できる。
【００１７】
請求項６の発明は、請求項１乃至４いずれかにおいて、前記水槽が貯水可能な最大貯水量、および前記地震情報取得部が地震情報を取得した時点で水槽に貯水されている第１の水量を記憶する記憶部と、前記ポンプが供給する水の流量を測定する水量センサとを備え、前記制御部は、満水動作モード時に、第１の水量に水量センサの測定結果を加算した第２の水量を最大貯水量と比較し、第２の水量が最大貯水量に達したときに水槽の満水状態を検知する満水検知手段を構成し、当該満水検知手段が満水状態を検知した場合にポンプの動作を停止させることを特徴とする。
【００１８】
この発明によれば、ポンプが水槽に供給する水の実際の流量に基づいて満水を判定するので、ライフラインの損傷等によってポンプをフル稼働させても最大流量にまで達しない場合であっても、正確に満水まで貯水できる。
【発明の効果】
【００１９】
以上説明したように、本発明では、地震によって建物やライフライン等が破壊された場合でも、地震発生後の水の確保を確実に行うことができるという効果がある。
【発明を実施するための最良の形態】
【００２０】
以下、本発明の実施の形態を図面に基づいて説明する。
【００２１】
（実施形態１）
近年、緊急地震速報等を利用することによって、直下型の地震でない限り、初期微動（以降、Ｐ波と称す）と主要動（以降、Ｓ波と称す）との伝達速度の違いを利用して、Ｓ波の到達前に地震情報を得ることができる。この地震情報は、震源に近い位置に設置された地震計がＰ波の発生を検知すると、震源や地震の規模を直ちに解析し、これに基づいて各地でのＳ波の到達時刻や震度を推定して各地へ通知される。
【００２２】
本発明はこの地震情報を利用した水槽システムであり、図１に本実施形態の構成を示す。水槽システムは、マンション等に設置され、制御部１と、ポンプ２と、水槽３と、遮断弁４と、地震情報取得部５とで構成され、水槽３には水槽３内の水位を検知して水位信号を出力する水位センサ３ａが設けられている。
【００２３】
制御部１は、ポンプ２、遮断弁４の動作を制御しており、通常は、ポンプ２を動作させることによって配管Ｐ１を介して水槽３へ水を供給し、遮断弁４を開状態にすることで水槽３に溜められた水を配管Ｐ２を介して各部屋へ供給し、さらに水位センサ３ａからの水位信号に基づいて水槽３が満水であると判断した場合はポンプ２の動作を停止させる定常制御モードで動作する。また、地震情報取得部５は、インターネット等のネットワークＮＴを介してセンタの管理サーバＳＶ１に接続し、管理サーバＳＶ１との間で通信可能に構成される。
【００２４】
管理サーバＳＶ１は、地震情報サーバＳＶ２とネットワーク（インターネット、専用ネットワーク等）を介して接続しており、地震情報サーバＳＶ２は、震源に近い位置に設置された地震計がＰ波の発生を検知すると、震源や地震の規模を直ちに解析し、地震発生時に各地におけるＳ波の到達時刻や震度等の地震情報を送信する。管理サーバＳＶ１は、地震情報サーバＳＶ２から受信した地震情報をネットワークＮＴ経由で送信し、地震情報取得部５は、本システムの設置場所における地震情報を取得する。
【００２５】
以下、地震情報取得時の動作について、図２のフローチャートで説明する。まず、地震情報取得部５が地震情報を取得すると（ステップＳ１）、制御部１は、定常制御モードから満水動作モードに移行して（ステップＳ２）、遮断弁４を閉じ（ステップＳ３）、さらにポンプ２をフル稼働して、水位センサ３ａからの水位信号に基づいて水槽３が満水であると判断するまで最大流量で水を入れる（ステップＳ４）。したがって、地震による被害が比較的小さいＰ波を検出したときに、遮断弁４を閉じて水槽３からの水の流出を防止するとともに、ポンプ２をフル稼働して水槽３内に貯水している。したがって、揺れの大きいＳ波が到達して建物やライフライン等が破壊された場合でも、地震発生後の水の確保を確実に行うことができる。
【００２６】
そして、地震が収まって被害状況を確認した後、制御部１に設けた操作部（図示なし）の操作、または管理サーバＳＶからの指示信号によって、制御部１を満水動作モードから定常制御モードに移行させ、遮断弁４を開いて水槽３から各部屋への給水を再開し、必要に応じてポンプ２を動作させる。
【００２７】
（実施形態２）
本実施形態の水槽システムは、図３に示すように、通信部６を実施形態１の構成に設けて、通信部６がネットワークＮＴを介して管理サーバＳＶ１との間で通信を行う。なお、実施形態１と同様の構成には同一の符号を付して説明は省略する。
【００２８】
制御部１は、水位センサ３ａからの水位信号に基づいて満水であるか否かを判定し、満水時には通信部６からネットワークＮＴを介して管理サーバＳＶ１へ満水警報を送信する。満水警報を受信した管理サーバＳＶ１は管理者Ｈ１へ警報報知し、管理者Ｈ１に注意を促す。
【００２９】
しかし、地震発生時には各地でネットワークＮＴの通信トラフィックが増大しており、満水動作モード時にも管理サーバＳＶ１へ満水警報を送信すると、さらに通信トラフィックが増大するため、好ましくない。また、地震の揺れによって水槽３内の水面も揺れるため、水位センサ３ａが誤って満水を検出し、満水警報の誤報が発生することも考えられる。
【００３０】
そこで、本実施形態では、図４のフローチャートに示すように、地震情報を受信して定常制御モードから満水動作モードに移行すると、制御部１は、ステップＳ１〜Ｓ４において遮断弁４を閉じるとともにポンプ２をフル稼働して水槽３内に貯水し、さらには通信部６からの満水警報の送信動作を停止させる（ステップＳ５）。そして、水位センサ３ａからの水位信号に基づいて水槽３が満水であると判断した場合はポンプ２の動作を停止させる。（ステップＳ６）。
【００３１】
したがって、満水動作モードでは満水警報が送信されず、地震発生時に、ネットワークＮＴの通信トラフィックの増大を抑制でき、さらには満水警報の誤報も防止できる。
【００３２】
（実施形態３）
地震が収まって被害がないと判断できる状況下で、遮断弁４を閉じて給水を停止し、水槽３の満水状態を維持しておくことは、使用者からみると断水状態と同じであるため問題となる。実施形態１，２では、地震後の給水の再開（満水動作モードから定常制御モードへの移行）の可否を人の判断によって行っているが、本実施形態では、以下のように自動で地震後の給水の再開の可否を判断する。
【００３３】
本実施形態の水槽システムは、図５に示すように、地震センサ部７と装置検査部８とを実施形態２の構成に設ける。なお、実施形態２と同様の構成には同一の符号を付して説明は省略する。
【００３４】
地震センサ部７は、本システムの設置場所周辺の震度を検知して震度信号を出力し、この震度信号は地震情報取得部７を介して制御部１に入力される。
【００３５】
装置検査部８は、マンション建屋内の配管Ｐ２の破損を検査する機能を有し、例えば水圧等に基づいて配管の破損の有無を判断する。
【００３６】
そして、図６のフローチャートに示すように、地震情報取得部５が地震情報を取得して、実施形態２のステップＳ１〜Ｓ６の処理を行った後（ステップＳ１１）、制御部１は現在のモードが満水動作モードであるか否かを判定する（ステップＳ１２）。制御部１は、定常制御モードであれば本処理を終了し、満水動作モードであれば地震センサ部７からの震度信号に基づいて地震の揺れを検知しているか否かを判定し（ステップ１３）、地震の揺れを検知中であれば本処理を終了し、地震の揺れを検知していなければ、地震の揺れが収まったと判定してポンプ２を動作させる（ステップＳ１４）。すなわち、満水動作モードにおいて地震の揺れが収まれば、ポンプ２を所定時間再稼動させる。
【００３７】
そして、ポンプ２で水槽３に水を入れてみて、制御部１は、ポンプ２の出力に見合った流量が供給されているか否かを、水位センサ３ａからの水位信号（または図示しない水量センサで測定した供給水量）で判定する（ステップＳ１５）。ポンプ２の出力に比べて流量が少ない場合は、ライフライン側またはポンプ２または配管Ｐ１の破損があると考えられるので、本処理を終了する。
【００３８】
ポンプ２の出力に見合った流量が供給されている場合には、次に装置検査部８でマンション建屋内の配管Ｐ２の破損を検査し（ステップＳ１６）、破損有りの場合、制御部１は、配管Ｐ２の破損があると考えられるので、本処理を終了する。
【００３９】
そして、ステップＳ１５，Ｓ１６においていずれの破損も無いと判定された場合、制御部１は、満水動作モードから定常動作モードに移行して（ステップＳ１７）、遮断弁４を開いて、水槽３からの給水を再開する（ステップＳ１８）。
【００４０】
したがって、地震が収まった後に、自動で、水槽３の水を使用不可能な状態が解消でき、給水の再開を迅速に行うことが可能となって、地震後に使用者が水を使えない状態を短縮できる。
【００４１】
（実施形態４）
実施形態３において、満水動作モードから定常制御モードに移行して水槽３からの給水を再開した場合、定常制御モードに移行すると同時に通信部６からの満水警報の送信停止状態も解除されてしまうため、満水動作モードによって水槽３が満水状態になっていれば、通信部６から管理サーバＳＶ１へ満水警報が送信されてしまう。
【００４２】
そこで、本実施形態では、実施形態３と同様に図５に示される水槽システムでおいて、図７のフローチャートにしたがって満水警報の送信停止状態を解除する。まず、制御部１は、ステップＳ１１〜Ｓ１８において、実施形態３と同様に、満水動作モードから定常動作モードに移行して、遮断弁４を開き、水槽３からの給水を再開する。この時点では、満水警報の送信停止状態がまだ維持されている。
【００４３】
そして、制御部１は、水位センサ３ａからの水位信号に基づいて満水であるか否かを判定し（ステップＳ１９）、水槽３の水が減少して満水状態が解除されるまでステップＳ１９を繰り返す。満水状態が解除されると、制御部１は、通信部６からの満水警報の送信停止状態を解除する（ステップＳ２０）。
【００４４】
（実施形態５）
実施形態１〜４では、制御部１が、水位センサ３ａからの水位信号に基づいて満水であるか否かを判定し、満水状態になるまでポンプ２を動作させることによって、水槽３に満水となるまで水を入れている。しかし、水位センサ３ａは、一般に電極棒や水圧等の仕組みを用いて水槽３内の水位を検知しており、地震発生時は水槽３内の水面が揺れるために検出精度が悪化してしまう。したがって、地震情報を受信して定常動作モードから満水動作モードに移行しても、正確に満水まで貯水できない可能性がある。
【００４５】
そこで、本実施形態の水槽システムは、図８に示すように、記憶部９を実施形態３または４の構成に設ける。なお、実施形態３または４と同様の構成には同一の符号を付して説明は省略する。
【００４６】
制御部１は、地震情報取得部５が地震情報を取得したときに、水槽３を満水にするために必要な残りの水量（残水量情報）を記憶部９に格納しておく。この記憶部９への残水量情報の格納は、制御部１が、地震情報取得部５が地震情報を取得したときに水位センサ３ａからの水位信号を取得し、この水位信号に基づいた残水量情報を記憶部９に格納する方法や、常に水位センサ３ａからの水位信号を一定時間毎に取得しておき、地震情報取得前の最新の水位信号に基づいた残水量情報を記憶部９に格納する方法がある。
【００４７】
そして、図９のフローチャートに示すように、地震情報取得部５が地震情報を取得すると（ステップＳ３１）、制御部１は、定常制御モードから満水動作モードに移行して（ステップＳ３２）、遮断弁４を閉じ（ステップＳ３３）、さらにポンプ２をフル稼働して、水槽３が満水になるまで最大流量Ｑｍで水を入れる（ステップＳ３４）。
【００４８】
このとき、本実施形態では、制御部１が、ポンプ２がフル稼働している場合に現在の水位から満水になるまでに必要な注水時間Ｔ１を、記憶部９に格納している残水量情報と最大流量Ｑｍとに基づいて算出して、この注水時間Ｔ１を記憶部９に格納する。そして、制御部１は、記憶部９に格納した注水時間Ｔ１だけ、ポンプ２をフル稼働させる（図１０参照）。なお、この注水時間Ｔ１は、記憶部９に予め格納した算出式を用いて求める方法や、残水量情報と算出時間とを対応付けたテーブルを記憶部９に予め格納しておき、このテーブルを参照して求める方法がある。
【００４９】
そして、制御部１は、通信部６からの満水警報の送信動作を停止させ（ステップＳ３５）、注水時間Ｔ１が経過した時点で、水槽３の水位が満水レベルに達したと判断してポンプ２の動作を停止させる。（ステップＳ３６）。
【００５０】
このように、水位センサ３ａによる水槽３の水位に基づいて満水を判定するのではなく、ポンプ２の最大流量Ｑｍを注水時間Ｔ１継続させることで、残水量を水槽３に供給して満水になったと判定するので、地震によって水槽３内の水面が揺れる場合でも、正確に満水まで貯水できる。
【００５１】
（実施形態６）
実施形態５の構成では、ポンプ２の最大流量Ｑｍにおける注水時間Ｔ１を用いて満水を判定しており、ライフラインである水道管の水量が１００％使えることを前提としている。しかし、実際の地震発生時には、マンション周辺の水道管が破損している等の状況によって、ポンプ２をフル稼働させても最大流量Ｑｍにまで達しない場合があり、ポンプ２の最大流量Ｑｍにおける注水時間Ｔ１だけ水槽３に水を入れても満水にならない可能性がある。
【００５２】
そこで、本実施形態の水槽システムは、図１１に示すように、記憶部１０および水量センサ１１を実施形態５の構成に設ける。なお、実施形態５と同様の構成には同一の符号を付して説明は省略する。
【００５３】
記憶部１０は、水槽３に貯水可能な最大貯水量の情報を予め格納しておく。最大貯水量は、水槽３の大きさ、形状等によって決まっている。
【００５４】
水量センサ１１は、ポンプ２が配管Ｐ１を介して水槽３へ供給する水の流量を測定し、その測定結果として記憶部９に流量信号を逐次格納する。
【００５５】
そして、図１２のフローチャートに示すように、地震情報取得部５が地震情報を取得すると（ステップＳ４１）、制御部１は、定常制御モードから満水動作モードに移行して（ステップＳ４２）、遮断弁４を閉じ（ステップＳ４３）、通信部６からの満水警報の送信動作を停止する（ステップＳ４４）。
【００５６】
次に、制御部１は、水位センサ３ａの水位信号に基づいて水槽３に貯水されている現在の水量（第１の水量）を算出し、現在水量Ｌとして記憶部９に格納する（ステップＳ４５）。なお、図１２では現在水量Ｌ＝０（水槽３が空の状態）とする。
【００５７】
そして、制御部１は、ポンプ２を１分間だけフル稼働して水槽３に水を入れる（ステップＳ４６）。この１分間の注水中にも、水量センサ１１からの流量信号が記憶部９に逐次格納されており、制御部１は、この１分間の注水で水槽３ｂに供給された水量Ｍを算出し、記憶部９に格納されている現在水量Ｌに供給された水量Ｍを加算して、この加算結果を現在水量Ｌ（第２の水量）として記憶部９に格納し（ステップＳ４７）、現在水量Ｌを、記憶部１０に格納している最大貯水量と比較する（ステップＳ４８）。
【００５８】
制御部１は、現在水量Ｌが最大貯水量以下であれば、ステップＳ４６に戻ってポンプ２をさらに１分間だけフル稼働して水槽３に水を入れる。一方、現在水量Ｌが最大貯水量を超えれば、水槽３の水位が満水レベルに達したと判断してポンプ２の動作を停止させる。（ステップＳ４９）。このときの、ポンプ２から供給される水の流量（水量センサ１１が出力する流量情報）の一例を図１３に示す。
【００５９】
このように、ポンプ２が水槽３に供給する水の実際の流量に基づいて満水を判定するので、ライフラインの損傷等によってポンプ２をフル稼働させても最大流量Ｑｍにまで達しない場合であっても、正確に満水まで貯水できる。
【図面の簡単な説明】
【００６０】
【図１】実施形態１の水槽システムの構成を示す図である。
【図２】同上のフローチャートを示す図である。
【図３】実施形態２の水槽システムの構成を示す図である。
【図４】同上のフローチャートを示す図である。
【図５】実施形態３の水槽システムの構成を示す図である。
【図６】同上のフローチャートを示す図である。
【図７】実施形態４のフローチャートを示す図である。
【図８】実施形態５の水槽システムの構成を示す図である。
【図９】同上のフローチャートを示す図である。
【図１０】同上の注水時間と流量との関係を示す図である。
【図１１】実施形態５の水槽システムの構成を示す図である。
【図１２】同上のフローチャートを示す図である。
【図１３】同上の流量の時間特性を示す図である。
【図１４】従来の水槽システムの構成を示す図である。
【符号の説明】
【００６１】
１  制御部
２  ポンプ
３  水槽
３ａ  水位センサ
４  遮断弁
５  地震情報取得部
ＮＴ  ネットワーク
ＳＶ１  管理サーバ
ＳＶ２  地震情報サーバ
【図１】
2009052295.tif 000003
【図２】
2009052295.tif 000004
【図３】
2009052295.tif 000005
【図４】
2009052295.tif 000006
【図５】
2009052295.tif 000007
【図６】
2009052295.tif 000008
【図７】
2009052295.tif 000009
【図８】
2009052295.tif 000010
【図９】
2009052295.tif 000011
【図１０】
2009052295.tif 000012
【図１１】
2009052295.tif 000013
【図１２】
2009052295.tif 000014
【図１３】
2009052295.tif 000015
【図１４】
2009052295.tif 000016